(57)【要約】【課題】垂直な壁面に取り付けネジによって取り付けられる電気機器において、専用の取り付けネジを使用することなく、電気機器を固定する際の、この取り付けネジの脱落を防止できる構造を得るものである。【解決手段】筐体を構成するベース１およびカバー２と、カバー２からベース１にかけて連続して形成され取り付けネジ３を挿入できる取り付け孔１１と、この取り付け孔１１内に設けられる第一の突出部材１１ｃと、この取り付け孔１１内に設けられ第一の突出部材１１ｃとの間で取り付けネジ３のネジ頭３ａを駐止できる第二の突出部材１１ｄとを備えるようにした。【選択図】図２
2007150041.tif 000002
【特許請求の範囲】
【請求項１】
垂直な壁面に取り付けネジによって取り付けられる電気機器において、筐体を構成するベースおよびカバーと、カバーからベースにかけて連続して形成され取り付けネジを挿入できる取り付け孔と、この取り付け孔内に設けられる第一の突出部材と、この取り付け孔内に設けられ第一の突出部材との間で取り付けネジのネジ頭を駐止できる第二の突出部材とを備えることを特徴とする電気機器。
【請求項２】
第一の突出部材は２つあって相対向するように設けられ、第一の突出部材同士の相対向する距離は取り付けネジのネジ足の外径より大きくかつネジ頭の外径より小さいものであり、少なくとも一方の第一の突出部材は第一の可撓部を備え、この第一の可撓部が撓むことによって第一の突出部材同士の相対向する距離が取り付けネジのネジ頭の外径より大きくなり、第二の突出部材は２つあって相対向するように設けられ、第二の突出部材同士の相対向する距離は取り付けネジのネジ足の外径より大きくかつネジ頭の外径より小さいものであり、少なくとも一方の第二の突出部材は第二の可撓部を備え、この第二の可撓部が撓むことによって第二の突出部材同士の相対向する距離が取り付けネジのネジ頭の外径より大きくなることを特徴とする請求項１記載の電気機器。
【請求項３】
第一の突出部材と第二の突出部材との間にネジ頭を駐止された取り付けネジを備え、該電気機器が壁面に取り付けられるまでは、取り付けネジのネジ足端部が取り付け孔内に位置することを特徴とする請求項１または２記載の電気機器。
【請求項４】
垂直な壁面に取り付けネジによって取り付けられる電気機器において、筐体を構成するベースおよびカバーと、カバーからベースにかけて連続して形成され取り付けネジを挿入できる取り付け孔と、この取り付け孔内に設けられる第一の突出部材と、この取り付け孔内に設けられ第一の突出部材との間で取り付けネジを駐止できる突起とを備えることを特徴とする電気機器。
【請求項５】
第一の突出部材は２つあって相対向するように設けられ、第一の突出部材同士の相対向する距離は取り付けネジのネジ足の外径より大きくかつネジ頭の外径より小さいものであり、少なくとも一方の第一の突出部材は第一の可撓部を備え、この第一の可撓部が撓むことによって第一の突出部材同士の相対向する距離が取り付けネジのネジ頭の外径より大きくなり、突起は該電気機器が壁面に取り付けられる際に破れることによって取り付けネジのネジ足を通過させるようになることを特徴とする請求項４記載の電気機器。
【請求項６】
第一の突出部材と突起との間に駐止された取り付けネジを備え、該電気機器が壁面に取り付けられるまでは、取り付けネジが取り付け孔内に位置することを特徴とする請求項４または５記載の電気機器。
【発明の詳細な説明】
【技術分野】
【０００１】
この発明は、電気機器の取り付けの改善に関するものである。
【背景技術】
【０００２】
電気機器を垂直な壁面に取り付けネジで固定する場合、一方の手でこの電気機器を支え、もう一方の手で、例えばドライバーを廻すのが一般的であるが、この際、作業を単独で行うには、取り付けネジを予め、電気機器の取り付け孔にセットしておくことが考えられる。ところが、この取り付けネジがセットされた電気機器を手前側に傾け過ぎると、取り付けネジが容易に脱落してしまい作業が捗らない。そこで、この脱落を防止したものが種々考案されている。
【０００３】
一例をあげると、取り付け孔の中途に円形の突出部を設け、さらに取り付けネジには、特殊な座金、すなわち、相対向する突起を設け、かつ、この突起間寸法が、前述した円形の突出部の内径よりもわずかに大きいものを用いたものがある。これによれば、取り付けネジを電気機器の取り付け孔にセットする際、一旦は、突起が円形の突出部に衝突し抑止されるものの、この突起はバネ性を持たせてあるので、ドライバーで押すことで、容易に円形の突出部を乗り越えることができる。よって、電気機器を傾けても、今度は、円形の突出部がストッパーとなり、取り付けネジが取り付け孔より脱落することがなくなる（例えば、特許文献１参照）。
【０００４】
【特許文献１】実開昭６２−１４７２５０号公報（第３頁第１９行〜第４頁第５行、第３図）
【発明の開示】
【発明が解決しようとする課題】
【０００５】
しかしながら、従来のネジ脱落防止構造では、前述した通り、特殊な座金を用いた専用の取り付けネジが必要であるため、電気機器の固定まで、すなわち、この取り付けネジを取り付け孔にセットするまでは、取り付けネジが紛失しないよう、その管理には細心の注意を施す必要があった。これは、通常の取り付けネジでは、座金が円形の突出部を乗り越えることができず、電気機器の固定ができない恐れがあるためである。
【０００６】
紛失を避けるため、前もって取り付け孔にセットする場合でも、例えば、電気機器の外形の違いにより、専用の取り付けネジが複数種類あれば、該当する取り付けネジを間違いなく、その電気機器にセットする必要がある。これは、一度、セットした取り付けネジは容易には取り外すことができないためである。
【０００７】
この発明は、上述のような課題を解決するためになされたもので、垂直な壁面に取り付けネジによって取り付けられる電気機器において、専用の取り付けネジを使用することなく、電気機器を固定する際の、この取り付けネジの脱落を防止できる構造を得るものである。
【課題を解決するための手段】
【０００８】
この発明における電気機器は、筐体を構成するベースおよびカバーと、カバーからベースにかけて連続して形成され取り付けネジを挿入できる取り付け孔と、この取り付け孔内に設けられる第一の突出部材と、この取り付け孔内に設けられ第一の突出部材との間で取り付けネジのネジ頭を駐止できる第二の突出部材とを備えるものである。
【０００９】
また、筐体を構成するベースおよびカバーと、カバーからベースにかけて連続して形成され取り付けネジを挿入できる取り付け孔と、この取り付け孔内に設けられる第一の突出部材と、この取り付け孔内に設けられ第一の突出部材との間で取り付けネジを駐止できる突起とを備えるものである。
【発明の効果】
【００１０】
この発明によれば、壁面に取り付けネジによって取り付けられる電気機器において、専用の取り付けネジを使用することなく、電気機器を固定する際の、この取り付けネジの脱落を防止できる構造を得ることができる。
【発明を実施するための最良の形態】
【００１１】
実施の形態１．
図１はこの発明の実施の形態１における電気機器に取り付けネジを組み込んだ図で、（ａ）は正面図、（ｂ）は部分側断面図である。なお、（ｂ）の断面については（ａ）の線Ａ−Ａに沿っている。また図２は、実施の形態１における作業手順を示した図であり、（ａ）は取り付けネジの組み込み前、（ｂ）は取り付けネジの組み込み後、（ｃ）は被取り付け面へ固定された状態を、それぞれ示している。
【００１２】
図１において、電気機器である、例えば回路遮断器１０１は、絶縁筐体であるベース１、およびカバー２で構成され、これらベース１、およびカバー２へ、連続して形成される取り付け孔１１が、例えば図１（ａ）のように対角線上に配設されている。この取り付け孔１１は、段部１１ａを境に、図１（ｂ）紙面上、右側が細くなっており、ネジ足３ｂを紙面上、右側に向けた取り付けネジ３を、挿入口１１ｂから組み込むことで、回路遮断器１０１を被取り付け面４（図２（ｃ）参照）に固定させることができる。
【００１３】
続いて、取り付け孔１１の詳細について説明する。図２（ａ）において、取り付け孔１１の段部１１ａの紙面上、上側には、相対向する第一の突出部材１１ｃ、および第二の突出部材１１ｄが略９０度間隔で配設されている。第一の突出部材１１ｃ、第二の突出部材１１ｄは、それぞれ第一の可撓部１１ｃ１、第二の可撓部１１ｄ１を持ち、紙面上、外側へ撓むことが可能となっている。なお、可撓部１１ｃ１、１１ｄ１は、その長さ（紙面上、上下方向の寸法）を変えており、具体的には、第一の突出部材１１ｃが挿入口１１ｂ側に、第二の突出部材１１ｄが段部１１ａ側に、それぞれ寄っている。
【００１４】
次に、取り付けネジ３の取り付け手順、および被取り付け面４への固定について説明する。取り付けネジ３を前述の通り、挿入口１１ｂから組み込む。このとき、第一の突出部材１１ｃ同士の相対向する距離、第二の突出部材１１ｄ同士の相対向する距離は、ネジ足３ｂの外径より大きいため、取り付けネジ３は段部１１ａを通過し、紙面上、下方向に落下する。そして、第一の突出部材１１ｃ同士の相対向する距離は、ネジ頭３ａの外径よりは小さいため、一旦、ネジ頭３ａは第一の突出部材１１ｃで抑止される（図示せず）。この状態で、例えばドライバーで、ネジ頭３ａを押し込むと、可撓部１１ｃ１が外側に開き、ネジ頭３ａが第一の突出部材１１ｃ部分を通過する。そして、第二の突出部材１１ｄ同士の相対向する距離は、ネジ頭３ａの外径よりは小さいため、ネジ頭３ａが第一の突出部材１１ｃと第二の突出部材１１ｄの間に駐止されることになる（図２（ｂ）参照）。
【００１５】
この駐止が本発明のポイントであって、回路遮断器１０１を上下反転しても、取り付けネジ３は落下することない。
【００１６】
さらに、第一の突出部材１１ｃと第二の突出部材１１ｄ間の寸法Ｂがネジ頭３ａの軸方向の長さより長く、かつ、ネジ足３ｂの先端とベース１の底面１ａ間の寸法Ｃが確保されるように、第一の突出部材１１ｃ、第二の突出部材１１ｄを配設するとともに、取り付けネジ３を選択することが好ましい。この場合、図２（ｂ）の状態で包装または梱包して輸送したとしても、ネジ足３ｂが底面１ａから飛び出すことがないので、包装材や梱包材を傷つけることがなくなり、回路遮断器１０１の輸送中による破損事故などの軽減が期待できる。
【００１７】
この図２（ｂ）の状態から、被取り付け面４に回路遮断器１０１を取り付けることになるが、このとき、被取り付け面４のネジ部４ａと取り付け孔１１を一致させ、例えばドライバーで、ネジ頭３ａを押し込むと、今度は、第二の可撓部１１ｄ１が外側に開き、ネジ頭３ａが段部１１ａと係合するとともに、ネジ足３ｂがネジ部４ａと螺着されることになる（図２（ｃ）参照）。したがって、回路遮断器１０１を取り付ける際、取り付けネジ３が脱落しないのはもちろんのこと、被取り付け面４を傷つけることもなくなるので、効率よく作業を行うことができる。
【００１８】
また、何らかの理由により、取り付けネジ３の長さを替えたい場合、図２（ｂ）の状態から、ネジ足３ｂを紙面上、上方向に押すことで、第一の突出部材１１ｃが、やはり外側に開き、取り付けネジ３を容易に外すことができるので、任意の取り付けネジが使えることと相俟って、取り付けネジ交換が容易という波及効果も期待できる。なお、図１および図２紙面上、取り付けネジ３は平座金、およびバネ座金が付加されているが、これら座金を有しない取り付けネジであっても、同様の効果が得られるのは言うまでもない。さらに、両突出部材１１ｃ、１１ｄはカバー２側に具備させたが、両方、もしくは第二の突出部材１１ｄをベース１側に具備させてもよい。
【００１９】
実施の形態２．
図３はこの発明の実施の形態２における図２相当図として作業手順を示した図であり、（ａ）は取り付けネジの組み込み前、（ｂ）は取り付けネジの組み込み後、（ｃ）は被取り付け面へ固定された状態を、それぞれ示している。この実施の形態２では、実施の形態１の変形例として第二の突出部材１１ｄに替え、ベース１の底面１ａに突起１１ｅを設けている。
【００２０】
図３（ａ）に示すように、取り付け孔１１の段部１１ａの紙面上、上側に、相対向する突出部材１１ｃ、およびベース１の底面１ａに薄肉の突起１１ｅが配設されている。このうち第一の突出部材１１ｃは、第一の可撓部１１ｃ１を持ち、紙面上、外側へ撓むことが可能となっている。この状態で、取り付けネジ３を挿入口１１ｂから組み込む。このとき、突出部材１１ｃ同士の相対向する距離は、ネジ足３ｂの外径より大きいため、取り付けネジ３は段部１１ａを通過し、紙面上、下方向に落下する。そして、突出部材１１ｃ同士の相対向する距離が、ネジ頭３ａの外径よりは小さいため、一旦、ネジ頭３ａは第一の突出部材１１ｃで抑止される（図示せず）。この状態で、例えばドライバーで、ネジ頭３ａを押し込むと、可撓部１１ｃ１が外側に開き、ネジ頭３ａがさらに落下しようとするが、ネジ足３ｂが突起１１ｅで抑止されることで、これ以上の取り付けネジ３の落下はない。つまり、取り付けネジ３は、突出部材１１ｃと突起１１ｅの間に駐止されることになる（図３（ｂ）参照）。
【００２１】
この図３（ｂ）の状態から、被取り付け面４に回路遮断器１０１を取り付けることになるが、このとき、被取り付け面４のネジ部４ａと取り付け孔１１を一致させ、例えばドライバーで、ネジ頭３ａを押し込むと、薄肉である突起１１ｅが破れ、ネジ頭３ａが段部１１ａと係合するとともに、ネジ足３ｂがネジ部４ａと螺着されることになる（図３（ｃ）参照）。したがって、実施の形態１で述べた効果、すなわち、回路遮断器１０１を上下反転しても取り付けネジ３が落下することないこと、およびネジ足３ｂが底面１ａから飛び出すことがないので包装材や梱包材を傷つけることがないことに加え、この実施の形態２では、取り付けネジ３の駐止部材となる突出部材１１ｃ、および突起１１ｅを、単に取り付け孔１１の両端（すなわち、挿入口１１ｂおよび底面１ａ）に具備すればよい。よって、本構造を安価に形成することが可能となる。なお、突出部材１１ｃと突起１１ｅ間の距離は、取り付けネジ３に対して長めであって、図３（ｂ）のＤ寸法のような若干のクリアランスを持たせたほうが好ましい。
【図面の簡単な説明】
【００２２】
【図１】この発明の実施の形態１における電気機器に取り付けネジを組み込んだ図で、（ａ）は正面図、（ｂ）は部分側断面図である。
【図２】この発明の実施の形態１における作業手順を示した図であり、（ａ）は取り付けネジの組み込み前、（ｂ）は取り付けネジの組み込み後、（ｃ）は被取り付け面へ固定された状態を、それぞれ示している。
【図３】この発明の実施の形態２における作業手順を示した図であり、（ａ）は取り付けネジの組み込み前、（ｂ）は取り付けネジの組み込み後、（ｃ）は被取り付け面へ固定された状態を、それぞれ示している。
【符号の説明】
【００２３】
１  ベース、１ａ  底面、２  カバー、３  取り付けネジ、３ａ  ネジ頭、３ｂ  ネジ足、４  被取り付け面、４ａ  ネジ部、１１  取り付け孔、１１ａ  段部、１１ｂ  挿入口、１１ｃ  第一の突出部材、１１ｃ１  第一の可撓部、１１ｄ  第二の突出部材、１１ｄ１  第二の可撓部、１１ｅ  突起、１０１  回路遮断器。
【図１】
2007150041.tif 000003
【図２】
2007150041.tif 000004
【図３】
2007150041.tif 000005